(57)【要約】【課題】医師が医用画像の読影診断及び他の業務を効率的に行うことができるようにする。【解決手段】本発明に係る管理サーバによれば、モダリティから画像データ及び付帯情報が受信されると、付帯情報に含まれる読影医ＩＤに対応する画像ＤＢのデータ格納領域に、画像データ、付帯情報、受信日時を示す情報及び未読影であることを示すステータス情報が対応付けて記憶される。また、所定時間毎に、読影医別に格納されている画像データの中からステータス情報が未読影の画像データ数がカウントされ、未読影の画像データ数がその読影医に対して予め設定されている基準データ数を超えた場合は、その読影医に対して予め設定された通知項目の情報が取得され、読影を促す通知情報としてその読影医が所有する携帯端末に送信される。【選択図】図４
2006061387.tif 000002
【特許請求の範囲】
【請求項１】
被写体を撮影して読影すべき医用画像の画像データを生成するモダリティと、前記モダリティにおいて生成された画像データを管理する医用画像管理装置と、読影医に所持される携帯端末とを備えた医用画像読影管理システムであって、
前記医用画像管理装置は、
前記モダリティから読影すべき医用画像の画像データを受信する受信手段と、
前記受信された画像データに当該画像データの読影を担当する読影医を識別するための識別情報及び読影済みか否かを示すステータス情報を対応付けて記憶する画像データ記憶手段と、
未読影であることを示すステータス情報が対応付けられた画像データ数を読影医別にカウントし、前記カウントされた画像データ数が予め設定された基準データ数を超えた場合に、該当する読影医が所持する携帯端末に読影を促す通知情報を送信する通知情報送信手段とを備え、
前記携帯端末は、
前記医用画像管理装置から送信された通知情報を受信する通知情報受信手段と、
前記受信された通知情報を表示する表示手段とを備えたことを特徴とする医用画像読影管理システム。
【請求項２】
前記医用画像管理装置に関する各種設定を設定する設定手段を備え、
前記設定手段は、読影医別に前記基準データ数及び／又は前記通知情報の内容を設定することを特徴とする請求項１に記載の医用画像読影管理システム。
【請求項３】
被写体を撮影して読影すべき医用画像の画像データを生成するモダリティと、前記モダリティにおいて生成された画像データを管理する医用画像管理装置と、読影医に所持される携帯端末とを備えた医用画像読影管理システムであって、
前記医用画像管理装置は、
前記モダリティから画像データを受信する受信手段と、
前記受信された画像データに、当該画像データの読影を担当する読影医を識別するための識別情報、受信日時情報及び読影済みか否かを示すステータス情報を対応付けて記憶する画像データ記憶手段と、
未読影であることを示すステータス情報が対応付けられた画像データを読影医別に抽出し、前記抽出された画像データの中で受信されてからの経過時間が予め設定された基準経過時間を超えたものがある場合に、該当する読影医が所持する携帯端末に読影を促す通知情報を送信する通知情報送信手段とを備え、
前記携帯端末は、
前記医用画像管理装置から送信された通知情報を受信する通知情報受信手段と、
前記受信された通知情報を表示する表示手段とを備えたことを特徴とする医用画像読影管理システム。
【請求項４】
前記医用画像管理装置に関する各種設定を設定する設定手段を備え、
前記設定手段は、読影医別に前記基準経過時間及び／又は前記通知情報の内容を設定することを特徴とする請求項３に記載の医用画像読影管理システム。
【請求項５】
前記通知情報は、読影すべき医用画像がたまっている旨、未読影の画像データ数、未読影の画像データの主な検査種類、受信日時が最も古い未読影画像データの受信日時、依頼主を示す情報の少なくとも一つを含むことを特徴とする請求項１〜４の何れか一項に記載の医用画像読影管理システム。
【請求項６】
モダリティから送信された読影すべき医用画像の画像データを受信する受信手段と、
前記受信された画像データに当該画像データの読影を担当する読影医を識別するための識別情報及び読影済みか否かを示すステータス情報を対応付けて記憶する画像データ記憶手段と、
未読影であることを示すステータス情報が対応付けられた画像データ数を読影医別にカウントし、前記カウントされた画像データ数が予め設定された基準データ数を超えた場合に、該当する読影医が所持する携帯端末に読影を促す通知情報を送信する通知情報送信手段と、
を備えたことを特徴とする医用画像管理装置。
【請求項７】
モダリティから送信された読影すべき医用画像の画像データを受信する受信手段と、
前記受信された画像データに、当該画像データの読影を担当する読影医を識別するための識別情報、受信日時情報及び読影済みか否かを示すステータス情報を対応付けて記憶する画像データ記憶手段と、
未読影であることを示すステータス情報が対応付けられた画像データを読影医別に抽出し、前記抽出された画像データの中で受信されてからの経過時間が予め設定された基準経過時間を超えたものがある場合に、該当する読影医が所持する携帯端末に読影を促す通知情報を送信する通知情報送信手段と、
を備えたことを特徴とする医用画像管理装置。
【請求項８】
読影依頼された医用画像の画像データに当該画像データの読影を担当する読影医を識別するための識別情報及び読影済みか否かを示すステータス情報を対応付けて記憶し管理する医用画像管理装置に対して読影医の識別情報を送信し、当該読影医が担当する未読影の画像データ数を取得する未読影画像データ数取得手段と、
前記取得された未読影の画像データ数が予め設定された基準データ数を超えたか否かを判別し、前記予め設定された基準データ数を超えた場合に、読影を促す通知情報を表示手段の表示画面上に表示する通知手段と、
を備えたことを特徴とする携帯端末。
【請求項９】
読影依頼された医用画像の画像データに、当該画像データの読影を担当する読影医を識別するための識別情報、受信日時情報及び読影済みか否かを示すステータス情報を対応付けて記憶し管理する医用画像管理装置に対して読影医の識別情報を送信し、当該読影医が担当する未読影の画像データが読影依頼されてからの経過時間を示す情報を取得する経過時間情報取得手段と、
前記取得された経過時間が予め設定された基準経過時間を超えたか否かを判別し、予め設定された基準経過時間を超えたものがある場合に、読影を促す通知情報を表示手段の表示画面上に表示する通知手段と、
を備えたことを特徴とする携帯端末。
【請求項１０】
コンピュータに、
モダリティから送信された読影すべき医用画像の画像データを受信する機能と、
前記受信された画像データに当該画像データの読影を担当する読影医を識別するための識別情報及び読影済みか否かを示すステータス情報を対応付けて画像データ記憶手段に記憶する機能と、
未読影であることを示すステータス情報が対応付けられた画像データ数を読影医別にカウントし、前記カウントされた画像データ数が予め設定された基準データ数を超えた場合に、該当する読影医が所持する携帯端末に読影を促す通知情報を送信する機能と、
を実現させるためのプログラム。
【請求項１１】
コンピュータに、
モダリティから送信された読影すべき医用画像の画像データを受信する機能と、
前記受信された画像データに、当該画像データの読影を担当する読影医を識別するための識別情報、受信日時情報及び読影済みか否かを示すステータス情報を対応付けて画像データ記憶手段に記憶する機能と、
未読影であることを示すステータス情報が対応付けられた画像データを読影医別に抽出し、前記抽出された画像データが受信されてからの経過時間が予め設定された基準経過時間を超えたものがある場合に、該当する読影医が所持する携帯端末に読影を促す通知情報を送信する機能と、
を実現させるためのプログラム。
【請求項１２】
コンピュータに、
読影依頼された医用画像の画像データに当該画像データの読影を担当する読影医を識別するための識別情報及び読影済みか否かを示すステータス情報を対応付けて記憶し管理する医用画像管理装置に対して読影医の識別情報を送信し、当該読影医が担当する未読影の画像データ数を取得する機能と、
前記取得された未読影の画像データ数が予め設定された基準データ数を超えたか否かを判別し、前記予め設定された基準データ数を超えた場合に、読影を促す通知情報を表示手段の表示画面上に表示させる機能と、
を実現させるためのプログラム。
【請求項１３】
コンピュータに、
読影依頼された医用画像の画像データに、当該画像データの読影を担当する読影医を識別するための識別情報、受信日時情報及び読影済みか否かを示すステータス情報を対応付けて記憶し管理する医用画像管理装置に対して読影医の識別情報を送信し、当該読影医が担当する未読影の画像データが読影依頼されてからの経過時間を示す情報を取得する機能と、
前記取得された経過時間が予め設定された基準経過時間を超えたか否かを判別し、予め設定された基準経過時間を超えたものがある場合に、読影を促す通知情報を表示手段の表示画面上に表示する機能と、
を実現させるためのプログラム。
【発明の詳細な説明】
【技術分野】
【０００１】
本発明は、読影すべき医用画像を管理する医用画像読影管理システム、前記医用画像読影管理システムで用いる医用画像管理装置、携帯端末及びプログラムに関する。
【背景技術】
【０００２】
医療の分野では、患者を撮影した医用画像のデジタル化が実現されており、ＣＲ（Computed Radiography）、ＦＰＤ（Flat Panel Detector）、ＣＴ（Computed Tomography）、ＭＲＩ（Magnetic Resonance Imaging）、超音波診断装置等の各種モダリティにより撮影され、デジタル化された医用画像は、読影端末のモニタ等に表示され、医師の読影診断に供されている。
【０００３】
例えば、特許文献１には、医師や患者が所定の場所にいない場合に呼び出しを行うことを可能とする病院情報通知システムが記載されており、このようなシステムによれば、読影室への緊急の検査依頼がある場合は、当該システムを用いることにより医師が読影室にいない場合であっても、その旨を通知することが可能である。
【特許文献１】特開平１１−３１１８７号公報
【発明の開示】
【発明が解決しようとする課題】
【０００４】
ところで、緊急の読影依頼は、上記システム等を利用すれば、直ちに医師に通知され、読影診断が行われるようになっているが、通常の読影依頼に対する診断は、担当する医師が依頼の件数や依頼された日時を把握して処理する必要がある。
【０００５】
読影診断は、画像の微妙な濃淡で示される病変を見分けて診断するものであるため、大量の件数の読影を続けて行うと、目の疲れ等が生じ、診断効率や診断精度の低下につながってしまう。そのため、読影診断は、診断精度が維持できるペースで行われることが望ましい。
【０００６】
しかしながら、医師は、読影診断のみならず、診察を始めとする他の業務を担当している場合が多い。そのため、読影依頼の状況を把握できず、処理しきれないほどの大量の読影件数が知らないうちにたまってしまったり、読影依頼から長時間経過してしまったりすることがあった。
【０００７】
例えば、上記特許文献１の通知システム等を用いて読影依頼が入る度に通知を行えば医師は読影依頼の状況を把握できるが、緊急でない読影依頼に対しても通知を行うと、緊急時との区別がつかず、また、他の優先すべき業務の妨げとなり、１日の業務を効率的に行うことができないという問題が生じる。
【０００８】
本発明はこのような状況に鑑みてなされたものであり、医師が医用画像の読影診断及び他の業務を効率的に行うことができるようにすることを目的とする。
【課題を解決するための手段】
【０００９】
上記課題を解決するため、請求項１に記載の発明は、
被写体を撮影して読影すべき医用画像の画像データを生成するモダリティと、前記モダリティにおいて生成された画像データを管理する医用画像管理装置と、読影医に所持される携帯端末とを備えた医用画像読影管理システムであって、
前記医用画像管理装置は、
前記モダリティから読影すべき医用画像の画像データを受信する受信手段と、
前記受信された画像データに当該画像データの読影を担当する読影医を識別するための識別情報及び読影済みか否かを示すステータス情報を対応付けて記憶する画像データ記憶手段と、
未読影であることを示すステータス情報が対応付けられた画像データ数を読影医別にカウントし、前記カウントされた画像データ数が予め設定された基準データ数を超えた場合に、該当する読影医が所持する携帯端末に読影を促す通知情報を送信する通知情報送信手段とを備え、
前記携帯端末は、
前記医用画像管理装置から送信された通知情報を受信する通知情報受信手段と、
前記受信された通知情報を表示する表示手段とを備えたことを特徴としている。
【００１０】
請求項２に記載の発明は、請求項１に記載の発明において、
前記医用画像管理装置に関する各種設定を設定する設定手段を備え、
前記設定手段は、読影医別に前記基準データ数及び／又は前記通知情報の内容を設定することを特徴としている。
【００１１】
請求項３に記載の発明は、
被写体を撮影して読影すべき医用画像の画像データを生成するモダリティと、前記モダリティにおいて生成された画像データを管理する医用画像管理装置と、読影医に所持される携帯端末とを備えた医用画像読影管理システムであって、
前記医用画像管理装置は、
前記モダリティから画像データを受信する受信手段と、
前記受信された画像データに、当該画像データの読影を担当する読影医を識別するための識別情報、受信日時情報及び読影済みか否かを示すステータス情報を対応付けて記憶する画像データ記憶手段と、
未読影であることを示すステータス情報が対応付けられた画像データを読影医別に抽出し、前記抽出された画像データの中で受信されてからの経過時間が予め設定された基準経過時間を超えたものがある場合に、該当する読影医が所持する携帯端末に読影を促す通知情報を送信する通知情報送信手段とを備え、
前記携帯端末は、
前記医用画像管理装置から送信された通知情報を受信する通知情報受信手段と、
前記受信された通知情報を表示する表示手段とを備えたことを特徴としている。
【００１２】
請求項４に記載の発明は、請求項３に記載の発明において、
前記医用画像管理装置に関する各種設定を設定する設定手段を備え、
前記設定手段は、読影医別に前記基準経過時間及び／又は前記通知情報の内容を設定することを特徴としている。
【００１３】
請求項５に記載の発明は、請求項１〜４の何れか一項に記載の発明において、
前記通知情報は、読影すべき医用画像がたまっている旨、未読影の画像データ数、未読影の画像データの主な検査種類、受信日時が最も古い未読影画像データの受信日時、依頼主を示す情報の少なくとも一つを含むことを特徴としている。
【００１４】
請求項６に記載の発明の医用画像管理装置は、
モダリティから送信された読影すべき医用画像の画像データを受信する受信手段と、
前記受信された画像データに当該画像データの読影を担当する読影医を識別するための識別情報及び読影済みか否かを示すステータス情報を対応付けて記憶する画像データ記憶手段と、
未読影であることを示すステータス情報が対応付けられた画像データ数を読影医別にカウントし、前記カウントされた画像データ数が予め設定された基準データ数を超えた場合に、該当する読影医が所持する携帯端末に読影を促す通知情報を送信する通知情報送信手段と、
を備えたことを特徴としている。
【００１５】
請求項７に記載の発明の医用画像管理装置は、
モダリティから送信された読影すべき医用画像の画像データを受信する受信手段と、
前記受信された画像データに、当該画像データの読影を担当する読影医を識別するための識別情報、受信日時情報及び読影済みか否かを示すステータス情報を対応付けて記憶する画像データ記憶手段と、
未読影であることを示すステータス情報が対応付けられた画像データを読影医別に抽出し、前記抽出された画像データの中で受信されてからの経過時間が予め設定された基準経過時間を超えたものがある場合に、該当する読影医が所持する携帯端末に読影を促す通知情報を送信する通知情報送信手段と、
を備えたことを特徴としている。
【００１６】
請求項８に記載の発明の携帯端末は、
読影依頼された医用画像の画像データに当該画像データの読影を担当する読影医を識別するための識別情報及び読影済みか否かを示すステータス情報を対応付けて記憶し管理する医用画像管理装置に対して読影医の識別情報を送信し、当該読影医が担当する未読影の画像データ数を取得する未読影画像データ数取得手段と、
前記取得された未読影の画像データ数が予め設定された基準データ数を超えたか否かを判別し、前記予め設定された基準データ数を超えた場合に、読影を促す通知情報を表示手段の表示画面上に表示する通知手段と、
を備えたことを特徴としている。
【００１７】
請求項９に記載の発明の携帯端末は、
読影依頼された医用画像の画像データに、当該画像データの読影を担当する読影医を識別するための識別情報、受信日時情報及び読影済みか否かを示すステータス情報を対応付けて記憶し管理する医用画像管理装置に対して読影医の識別情報を送信し、当該読影医が担当する未読影の画像データが読影依頼されてからの経過時間を示す情報を取得する経過時間情報取得手段と、
前記取得された経過時間が予め設定された基準経過時間を超えたか否かを判別し、予め設定された基準経過時間を超えたものがある場合に、読影を促す通知情報を表示手段の表示画面上に表示する通知手段と、
を備えたことを特徴としている。
【００１８】
請求項１０に記載の発明は、
コンピュータに、
モダリティから送信された読影すべき医用画像の画像データを受信する機能と、
前記受信された画像データに当該画像データの読影を担当する読影医を識別するための識別情報及び読影済みか否かを示すステータス情報を対応付けて画像データ記憶手段に記憶する機能と、
前記未読影であることを示すステータス情報が対応付けられた画像データ数を読影医別にカウントし、前記カウントされた画像データ数が予め設定された基準データ数を超えた場合に、該当する読影医が所持する携帯端末に読影を促す通知情報を送信する機能と、
を実現させるためのプログラムであることを特徴としている。
【００１９】
請求項１１に記載の発明は、
コンピュータに、
モダリティから送信された読影すべき医用画像の画像データを受信する機能と、
前記受信された画像データに、当該画像データの読影を担当する読影医を識別するための識別情報、受信日時情報及び読影済みか否かを示すステータス情報を対応付けて画像データ記憶手段に記憶する機能と、
未読影であることを示すステータス情報が対応付けられた画像データを読影医別に抽出し、前記抽出された画像データの中で受信されてからの経過時間が予め設定された基準経過時間を超えたものがある場合に、該当する読影医が所持する携帯端末に読影を促す通知情報を送信する機能と、
を実現させるためのプログラムであることを特徴としている。
【００２０】
請求項１２に記載の発明は、
コンピュータに、
読影依頼された医用画像の画像データに当該画像データの読影を担当する読影医を識別するための識別情報及び読影済みか否かを示すステータス情報を対応付けて記憶し管理する医用画像管理装置に対して読影医の識別情報を送信し、当該読影医が担当する未読影の画像データ数を取得する機能と、
前記取得された未読影の画像データ数が予め設定された基準データ数を超えたか否かを判別し、前記予め設定された基準データ数を超えた場合に、読影を促す通知情報を表示手段の表示画面上に表示させる機能と、
を実現させるためのプログラムであることを特徴としている。
【００２１】
請求項１３に記載の発明は、
コンピュータに、
読影依頼された医用画像の画像データに、当該画像データの読影を担当する読影医を識別するための識別情報、受信日時情報及び読影済みか否かを示すステータス情報を対応付けて記憶し管理する医用画像管理装置に対して読影医の識別情報を送信し、当該読影医が担当する未読影の画像データが読影依頼されてからの経過時間を示す情報を取得する機能と、
前記取得された経過時間が予め設定された基準経過時間を超えたか否かを判別し、予め設定された基準経過時間を超えたものがある場合に、読影を促す通知情報を表示手段の表示画面上に表示する機能と、
を実現させるためのプログラムであることを特徴としている。
【発明の効果】
【００２２】
請求項１に記載の発明によれば、医用画像管理装置は、モダリティから読影すべき医用画像の画像データを受信し、受信された画像データに当該画像データの読影を担当する読影医を識別するための識別情報及び読影済みか否かを示すステータス情報を対応付けて記憶する。また、未読影であることを示すステータス情報が対応付けられた画像データ数を読影医別にカウントし、カウントされた画像データ数が予め設定された基準データ数を超えた場合に、該当する読影医が所持する携帯端末に読影を促す通知情報を送信し、携帯端末は、医用画像管理装置から送信された通知情報を受信して表示する。従って、読影医は、読影すべき画像データが基準データ数を超えてたまってしまい、読影診断を優先して処理しなければならなくなった場合に、その旨を認識することが可能となる。また、未読影の画像データ数が予め設定された基準データ数を超えなければ通知はされないので、他に優先すべき業務がある場合には、その業務を優先して行うことができ、医師が医用画像の読影診断及び他の業務を効率的に行うことが可能となる。
【００２３】
請求項２に記載の発明によれば、読影医別に基準データ数及び／又は通知情報の内容を設定できるので、各読影医に適した通知を行うことが可能となる。
【００２４】
請求項３に記載の発明によれば、医用画像管理装置は、モダリティから画像データを受信し、受信された画像データに当該画像データの読影を担当する読影医を識別するための識別情報、受信日時情報及び読影済みか否かを示すステータス情報を対応付けて記憶する。また、未読影であることを示すステータス情報が対応付けられた画像データを読影医別に抽出し、抽出された画像データの中で受信されてからの経過時間が予め設定された基準経過時間を超えたものがある場合に、該当する読影医が所持する携帯端末に読影を促す通知情報を送信し、携帯端末は、医用画像管理装置から送信された通知情報を受信して表示する。従って、読影医は、読影されずに基準経過時間を超えて放置された画像データがあり、読影診断を優先して処理しなければならない場合に、その旨を認識することが可能となる。また、読影依頼されてからの経過時間が予め設定された基準経過時間を超えなければ通知はされないので、他に優先すべき業務がある場合には、その業務を優先して行うことができ、医師が医用画像の読影診断及び他の業務を効率的に行うことが可能となる。
【００２５】
請求項４に記載の発明によれば、読影医別に基準経過時間及び／又は通知情報の内容を設定できるので、各読影医に適した通知を行うことが可能となる。
【００２６】
請求項５に記載の発明によれば、読影すべき医用画像がたまっている旨、未読影の画像データ数、未読影の画像データの主な検査種類、受信日時が最も古い未読影画像データの受信日時、依頼主を示す情報の少なくとも一つを読影医に通知することができる。
【００２７】
請求項６に記載の発明の医用画像管理装置によれば、モダリティから送信された読影すべき医用画像の画像データを受信し、受信された画像データに当該画像データの読影を担当する読影医を識別するための識別情報及び読影済みか否かを示すステータス情報を対応付けて記憶する。また、未読影であることを示すステータス情報が対応付けられた画像データ数を読影医別にカウントし、カウントされた画像データ数が予め設定された基準データ数を超えた場合に、該当する読影医が所持する携帯端末に読影を促す通知情報を送信する。従って、読影医は、所持する携帯端末を介して、読影すべき画像データが基準データ数たまってしまい読影診断を優先して処理しなければならなくなった場合に、その旨を認識することが可能となる。また、未読影の画像データ数が予め設定された基準データ数を超えなければ通知はされないので、他に優先すべき業務がある場合には、その業務を優先して行うことができ、医師が医用画像の読影診断及び他の業務を効率的に行うことが可能となる。
【００２８】
請求項７に記載の発明の医用画像管理装置によれば、モダリティから送信された読影すべき医用画像の画像データを受信し、受信された画像データに、当該画像データの読影を担当する読影医を識別するための識別情報、受信日時情報及び読影済みか否かを示すステータス情報を対応付けて記憶する。また、未読影であることを示すステータス情報が対応付けられた画像データを読影医別に抽出し、抽出された画像データの中で受信されてからの経過時間が予め設定された基準経過時間を超えたものがある場合に、該当する読影医が所持する携帯端末に読影を促す通知情報を送信することができる。従って、読影医は、携帯端末を介して、読影されずに基準経過時間を超えて放置された画像データがあり、読影診断を優先して処理しなければならない場合に、その旨を認識することが可能となる。また、読影依頼されてからの経過時間が予め設定された基準経過時間を超えなければ通知はされないので、他に優先すべき業務がある場合には、その業務を優先して行うことができ、医師が医用画像の読影診断及び他の業務を効率的に行うことが可能となる。
【００２９】
請求項８に記載の発明の携帯端末によれば、読影依頼された医用画像の画像データに当該画像データの読影を担当する読影医を識別するための識別情報及び読影済みか否かを示すステータス情報を対応付けて記憶し管理する医用画像管理装置に対して読影医の識別情報を送信し、当該読影医が担当する未読影の画像データ数を取得し、取得された未読影の画像データ数が予め設定された基準データ数を超えたか否かを判別し、予め設定された基準データ数を超えた場合に、読影を促す通知情報を表示手段の表示画面上に表示する。従って、読影医は、読影すべき画像データが基準データ数たまってしまい読影診断を優先して処理しなければならなくなった場合に、その旨を認識することが可能となる。また、未読影の画像データ数が予め設定された基準データ数を超えなければ通知はされないので、他に優先すべき業務がある場合には、その業務を優先して行うことができ、医師が医用画像の読影診断及び他の業務を効率的に行うことが可能となる。
【００３０】
請求項９に記載の発明の携帯端末によれば、読影依頼された医用画像の画像データに、当該画像データの読影を担当する読影医を識別するための識別情報、受信日時情報及び読影済みか否かを示すステータス情報を対応付けて記憶し管理する医用画像管理装置に対して読影医の識別情報を送信し、当該読影医が担当する未読影の画像データが読影依頼されてからの経過時間を示す情報を取得し、取得された経過時間が予め設定された基準経過時間を超えたか否かを判別し、予め設定された基準経過時間を超えたものがある場合に、読影を促す通知情報を表示手段の表示画面上に表示する。従って、読影医は、読影されずに基準経過時間を超えて放置された画像データがあり、読影診断を優先して処理しなければならなくなった場合に、その旨を認識することが可能となる。また、読影依頼されてからの経過時間が予め設定された基準経過時間を超えなければ通知はされないので、他に優先すべき業務がある場合には、その業務を優先して行うことができ、医師が医用画像の読影診断及び他の業務を効率的に行うことが可能となる。
【００３１】
請求項１０に記載の発明によれば、当該プログラムをコンピュータに読み込ませることで、請求項６に記載する技術を実現する。従って、請求項６に記載する技術のソフトウエア製品単体としての販売、配布が容易になる。
【００３２】
請求項１１に記載の発明によれば、当該プログラムをコンピュータに読み込ませることで、請求項７に記載する技術を実現する。従って、請求項７に記載する技術のソフトウエア製品単体としての販売、配布が容易になる。
【００３３】
請求項１２に記載の発明によれば、当該プログラムをコンピュータに読み込ませることで、請求項８に記載する技術を実現する。従って、請求項８に記載する技術のソフトウエア製品単体としての販売、配布が容易になる。
【００３４】
請求項１３に記載の発明によれば、当該プログラムをコンピュータに読み込ませることで、請求項９に記載する技術を実現する。従って、請求項９に記載する技術のソフトウエア製品単体としての販売、配布が容易になる。
【発明を実施するための最良の形態】
【００３５】
以下、図を参照して本発明の実施の形態を詳細に説明する。ただし、発明の範囲は、図示例に限定されない。
【００３６】
〔第１の実施の形態〕
まず、本発明の第１の実施の形態の構成について説明する。
図１は、本実施の形態における医用画像読影管理システム１００のシステム構成を示す概念図である。図１に示すように、医用画像読影管理システム１００には、モダリティ１、画像ＤＢ（Data Base）２ａを備えた管理サーバ２、読影端末３がＬＡＮ（Local Area Network）やＷＡＮ（Wide Area Network）等のネットワークＮを介してデータ送受信可能なように接続されている。また、管理サーバ２は、携帯端末４と無線ＬＡＮを介して接続可能に構成されている。なお、医用画像読影管理システム１００を構成する各装置の数は、特に限定されない。
【００３７】
モダリティ１は、例えば、ＣＲ、ＦＰＤ、ＣＴ、ＭＲＩ、超音波診断装置等であり、人体を撮影した画像をデジタル変換して、医用画像の画像データを生成する。また、モダリティ１は、図示しない検査予約の受付端末や、キーボード、マウス、タッチパネル等の入力手段を介して入力された医用画像に関する属性情報を付帯情報として画像データに付帯させ、管理サーバ２に送信する。付帯情報としては、例えば、撮影された患者の識別情報としての患者ＩＤ、患者氏名、年齢、性別等の患者に関する患者情報、検査を識別するための検査ＩＤ、撮影日、撮影部位、撮影条件（体位、撮影方向等）、依頼科名、読影医（画像データの読影を担当する医師）の識別情報としての読影医ＩＤ等の検査に関する検査情報が挙げられる。
【００３８】
管理サーバ２は、モダリティ１により生成された医用画像の画像データをその付帯情報と対応付けて画像ＤＢ（Date Base）２ａに保存して管理し、読影端末３からの要求に応じて画像データを読影端末３に供給する医用画像管理装置である。
【００３９】
以下、図２を参照して、管理サーバ２の内部構成について詳細に説明する。
図２は、管理サーバ２の機能的構成を示すブロック図である。図２に示すように、管理サーバ２は、ＣＰＵ２１、操作部２２、表示部２３、ＲＡＭ２４、記憶部２５、第１の通信制御部２６、第２の通信制御部２７、画像ＤＢ２ａ等を備えて構成され、各部はバス２８により接続されている。
【００４０】
ＣＰＵ２１は、記憶部２５に記憶されているシステムプログラムを読み出し、ＲＡＭ２４内に形成されたワークエリアに展開し、該システムプログラムに従って各部を制御する。また、ＣＰＵ２１は、記憶部２５に記憶されている読影依頼受付処理プログラム、通知情報送信処理プログラムを始めとする各種処理プログラム、各種アプリケーションプログラムを読み出してワークエリアに展開し、後述する読影依頼受付処理、通知情報送信処理をはじめとする各種処理を実行する。
【００４１】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。また、操作部２２は、表示部２３の表示画面にタッチパネルを備えても良く、この場合、タッチパネルを介して入力された指示信号をＣＰＵ２１に出力する。
【００４２】
表示部２３は、ＬＣＤ（Liquid Crystal Display）やＣＲＴ等のモニタにより構成され、ＣＰＵ２１から入力される表示信号の指示に従って、操作部２２からの入力指示やデータ等を表示する。
【００４３】
ＲＡＭ２４は、ＣＰＵ２１により実行制御される各種処理において、記憶部２５から読み出されたＣＰＵ２１で実行可能な各種プログラム、入力若しくは出力データ、及びパラメータ等の一時的に記憶する記憶領域を形成する。
【００４４】
記憶部２５は、ＨＤＤ（Hard Disc Drive）や不揮発性の半導体メモリ等により構成され、ＣＰＵ２１で実行されるシステムプログラム、当該システムプログラムに対応する読影依頼受付処理プログラム、通知情報送信処理プログラムを始めとする各種処理プログラム、各種アプリケーションプログラム、各種データ等を記憶する。これらの各種プログラムは、読取可能なプログラムコードの形態で格納され、ＣＰＵ２１は、当該プログラムコードに従った動作を逐次実行する。
【００４５】
また、記憶部２５は、図２に示すように、読影医情報ファイル２５１、基準値設定ファイル２５２、通知項目設定ファイル２５３を記憶している。
【００４６】
読影医情報ファイル２５１は、読影医ＩＤと、その読影医ＩＤで特定される読影医に対応する記憶部２５のデータ格納領域を示す情報（例えば、ディレクトリ名、フォルダ名等）と、その読影医ＩＤで特定される読影医が所持する携帯端末４を識別するための端末番号とを対応付けて記憶する。
基準値設定ファイル２５２は、読影医毎に設定された未読影の画像データ数の基準値、即ち、基準データ数の値を、その読影医を識別するための読影医ＩＤと対応付けて記憶する。
通知項目設定ファイル２５３は、読影医毎に設定された携帯端末４における通知項目を読影医ＩＤと対応付けて記憶する。携帯端末４における通知項目とは、後述する通知情報送信処理において、未読影の画像データ数が上述した基準値設定ファイル２５２で設定された基準データ数を超えた場合に、読影医情報ファイル２５１において読影医ＩＤに対応付けられた端末番号の携帯端末４に表示部４３の表示画面上に表示する項目である。通知項目としては、例えば、読影依頼がたまっている旨、読影依頼数、主な検査種別、最も古い読影依頼の日時、依頼者等が挙げられる。
【００４７】
なお、上述の基準データ数及び通知項目は、設定手段としての操作部２２から、或いはネットワークＮや無線ＬＡＮに接続された外部装置、例えば、読影端末３や携帯端末４から設定入力することが可能である。
【００４８】
第１の通信制御部２６は、ＬＡＮアダプタやルータやＴＡ（Terminal Adapter）等を備え、ネットワークＮに接続された各装置とデータの送受信を行う送信手段及び受信手段である。
第２の通信制御部２７は、無線ＬＡＮアダプタやアクセスポイント等を備え、携帯端末４との間のデータの送受信を行う。
【００４９】
画像ＤＢ２ａは、読影医別にデータ格納領域を有しており、モダリティ１から受信された医用画像の画像データに、付帯情報、受信日時情報及び読影済みであるか否かを示すステータス情報と対応付けて読影医別の格納領域に記憶する画像データ記憶手段である。
【００５０】
読影端末３は、医用画像を表示するモニタを有し、医師が医用画像の読影レポート（以下、レポートと称する）を作成することを目的として設置されるＰＣ（Personal Computer）等の端末である。
【００５１】
携帯端末４は、図示しないが、ＣＰＵ４１、操作部４２、表示部４３、ＲＡＭ４４、記憶部４５と、管理サーバ２と無線ＬＡＮ通信を行う通信制御部４６とを備え、各部はバス４７により接続されている。携帯端末４としては、例えば、ＰＤＡ(Personal Digital Assistance)、携帯電話機、ＰＨＳ(Personal Handyphone System）、モバイルＰＣ（Personal Computer）等を適用可能である。
【００５２】
次に、本実施の形態の動作について説明する。
図３は、管理サーバ２のＣＰＵ２１により実行される読影依頼受付処理を示すフローチャートである。ＣＰＵ２１は、記憶部２５に記憶された読影依頼受付処理プログラムとの協働によるソフトウエア処理により、当該処理を実行する。
【００５３】
第１の通信制御部２６を介して、モダリティ１から送信された読影依頼としての医用画像の画像データ及びその付帯情報が受信されると（ステップＳ１）、受信された画像データ及び付帯情報に受信日時の情報及び未読影であることを示すステータス情報が対応付けられ、画像ＤＢ２ａの、受信された付帯情報に含まれる読影医ＩＤに対応するデータ格納領域に、画像データ、付帯情報、受信日時情報及びステータス情報が対応付けて記憶される（ステップＳ２）。
【００５４】
上記処理により、読影医別に読影依頼が受け付けられる。画像データに対応付けられた受信日時の情報は、その画像データが読影依頼された日時を示す情報である。
【００５５】
また、管理サーバ２のＣＰＵ２１は、図４に示す通知情報送信処理を実行する。ＣＰＵ２１は、記憶部２５に記憶された通知情報送信処理プログラムとの協働によるソフトウエア処理により、所定時間毎に当該処理を実行し、通知情報送信手段を実現する。
【００５６】
まず、画像ＤＢ２ａの読影医別のデータ格納領域が１つ１つ順次検索され（ステップＳ１１）、検索されたデータ格納領域に記憶されている画像データの中から、ステータス情報が「未読影」の画像データ数がカウントされる（ステップＳ１２）。次いで、基準値設定ファイル２５２から当該データ格納領域に対応する読影医ＩＤに応じた基準データ数が読み出され、カウントされた未読影の画像データ数が予め設定された基準データ数を超えているか否かが判断される（ステップＳ１３）。未読影の画像データ数が予め設定された基準データ数を超える場合は（ステップＳ１３；ＹＥＳ）、読影を促す通知情報として、通知項目設定ファイル２５３で設定されている通知項目の情報が取得され（ステップＳ１４）、読影医情報ファイル２５１において当該データ格納領域に対応する読影医ＩＤに対応している端末番号の携帯端末４に送信される（ステップＳ１５）。画像ＤＢ２ａに形成されている読影医別のデータ格納領域の全ての領域について上述のステップＳ１１〜Ｓ１５の処理が実行され、全ての読影医の領域について終了すると（ステップＳ１６；ＹＥＳ）、本処理は終了する。
【００５７】
携帯端末４のＣＰＵ４１は、通知情報受信手段としての通信制御部４６により管理サーバ２から送信された通知項目の情報が受信されると、受信された情報を表示部４３の表示画面上に表示する。
【００５８】
上記通知情報送信処理により、読影医別にカウントされる未読影の画像データ数が予め設定された基準データ数を超えた場合は、その読影医が所持する携帯端末４に、設定された通知項目の情報が読影を促す通知情報として送信され、携帯端末４の表示部４３を介して読影医に通知される。
【００５９】
読影端末３から管理サーバ２に画像データの送信が要求されると、管理サーバ２において、画像ＤＢ２ａから要求された画像データが読み出されて読影端末３へ送信されるとともに、その画像データに対応するステータス情報が読影済みに更新される。
【００６０】
以上説明したように、管理サーバ２によれば、モダリティ１から画像データ及び付帯情報が受信されると、付帯情報に含まれる読影医ＩＤに対応する画像ＤＢ２ａのデータ格納領域に、画像データ、付帯情報、受信日時を示す情報及び未読影であることを示すステータス情報が対応付けて記憶される。また、管理サーバ２によれば、所定時間毎に、読影医別に格納されている画像データの中からステータス情報が未読影の画像データ数がカウントされ、未読影の画像データ数がその読影医に対して予め設定されている基準データ数を超えた場合は、その読影医に対して予め設定された通知項目の情報が取得され、読影を促す通知情報としてその読影医が所有する携帯端末４に送信される。
【００６１】
従って、読影医は、未読影の画像データの数が予め設定された基準データ数を超えてたまってしまい読影診断を優先して処理しなければならない場合に、その旨を認識することが可能となる。また、未読影の画像データの数が予め設定された基準データ数を超えなければ通知はされないので、他に優先すべき業務がある場合は、その業務を優先して行うことができ、医師が医用画像の読影診断及び他の業務を効率的に行うことが可能となる。基準データ数及び通知項目は、読影医毎に設定できるので、各読影医に適した通知を行うことが可能となる。
【００６２】
〔第２の実施の形態〕
次に、本発明の第２の実施の形態について説明する。
第２の実施の形態は、携帯端末４において、所定時間ごとに管理サーバ２に当該携帯端末４の所有者の読影医に対する未読影の画像データ数等を問い合わせ、携帯端末４において、問い合わせ結果が基準データ数を超えているか否かを判断し、超えている場合に表示部４３に設定された通知項目を読影を促す通知情報として表示するものである。
【００６３】
まず、第２の実施の形態の構成について説明する。
第２の実施の形態における医用画像読影管理システム１００の全体構成は、図１で説明したのと同様であるのでその説明は省略する。
【００６４】
第２の実施の形態において、携帯端末４のＣＰＵ４１は、記憶部４５に記憶されているシステムプログラムを読み出し、ＲＡＭ４４内に形成されたワークエリアに展開し、該システムプログラムに従って各部を制御する。また、ＣＰＵ４１は、記憶部４５に記憶されている読影依頼通知処理プログラムを始めとする各種処理プログラム、各種アプリケーションプログラムを読み出してワークエリアに展開し、後述する読影依頼通知処理をはじめとする各種処理を実行する。
【００６５】
記憶部４５は、ＨＤＤ（Hard Disc Drive）や不揮発性の半導体メモリ等により構成され、ＣＰＵ４１で実行されるシステムプログラム、当該システムプログラムに対応する読影依頼通知処理プログラムを始めとする各種処理プログラム、各種アプリケーションプログラム、各種データ等を記憶する。これらの各種プログラムは、読取可能なプログラムコードの形態で格納され、ＣＰＵ４１は、当該プログラムコードに従った動作を逐次実行する。
【００６６】
また、記憶部４５は、基準値設定ファイル４５１、通知項目設定ファイル４５２、所有者識別情報４５３等を記憶している。
【００６７】
基準値設定ファイル４５１は、予め設定されている未読影の画像データ数の基準値、即ち、基準データ数を記憶する。
通知項目設定ファイル４５２は、予め設定されている通知項目を記憶する。通知項目とは、後述する読影依頼通知処理において、未読影の画像データ数が上述した基準値設定ファイル４５１で設定された基準データ数を超えた場合に、読影を促す通知情報として表示部４３に表示する項目内容である。通知項目としては、例えば、読影依頼がたまっている旨、読影依頼数、主な検査種別、最も古い読影依頼の受信日時、依頼者等が挙げられる。
所有者識別情報４５３は、携帯端末４を所持する読影医を識別するための識別情報としての読影医ＩＤである。
【００６８】
なお、上述の基準データ数及び通知項目は、操作部４２から設定入力することが可能である。
【００６９】
その他の各装置の構成は、上述の第１の実施の形態で説明したのと同様であるのでその説明は省略する。
【００７０】
次に、第２の実施の形態の動作について説明する。
管理サーバ２においては、モダリティ１から画像データ及び付帯情報が送信されると、図３に示した読影依頼受付処理が実行される。
【００７１】
携帯端末４においては、所定時間毎に、読影依頼通知処理が実行される。
図５は、ＣＰＵ４１により実行される読影依頼通知処理を示すフローチャートである。
ＣＰＵ４１は、記憶部４５に記憶された読影依頼通知処理プログラムとの協働によるソフトウエア処理により、所定時間毎に当該処理を実行し、未読影画像データ数取得手段、通知手段を実現する。
【００７２】
まず、管理サーバ２に、携帯端末４に対応する読影医の未読影画像データ数の問い合わせが行われ、未読影画像データ数が取得される（ステップＴ１）。例えば、記憶部４５に所有者識別情報４５３として記憶されている、当該携帯端末４を所持する読影医の識別情報（読影医ＩＤ）が管理サーバ２に送信され当該読影医の未読影画像データ数の問い合わせが行われ、管理サーバ２からの未読影画像データ数の取得が行われる。次いで、基準値設定ファイル４５１から基準データ数が読み出され、取得された未読影の画像データ数が予め設定された基準データ数を超えているか否かが判断される（ステップＴ２）。未読影の画像データ数が予め設定された基準データ数を超える場合は（ステップＴ２；ＹＥＳ）、管理サーバ２に、通知項目設定ファイル４５２で設定されている通知項目の情報の要求が行われ、通知項目の情報が取得される（ステップＴ３）。そして、表示部４３に取得された情報が読影を促す通知情報として表示され（ステップＴ４）、本処理は終了する。
【００７３】
管理サーバ２においては、携帯端末４から読影医ＩＤが送信され、未読影の画像データ数の問い合わせが受信されると、画像ＤＢ２ａの読影医ＩＤに対応するデータ格納領域からステータス情報が「未読影」の画像データの数がカウントされ、送信元の携帯端末４に送信される。また、携帯端末４から通知項目の情報が要求されると、要求された情報が画像ＤＢ２ａの、携帯端末４から送信された読影医ＩＤに対応するデータ格納領域から検索され、携帯端末４に送信される。
【００７４】
読影端末３から管理サーバ２に画像データの送信が要求されると、管理サーバ２において、画像ＤＢ２ａから要求された画像データが読み出されて読影端末３へ送信されるとともに、その画像データに対応するステータス情報が読影済みに更新される。
【００７５】
以上説明したように、携帯端末４によれば、所定時間毎に、管理サーバ２から携帯端末４に対応する読影医の未読影の画像データ数が取得され、取得された未読影の画像データ数が予め設定された基準データ数を超えているか否かが判断され、予め設定された基準データ数を超える場合は、管理サーバ２から通知項目設定ファイル４５２で設定されている通知項目の情報が取得され、表示部４３に取得された情報が読影を促す通知情報として表示される。
【００７６】
従って、読影医は、未読影の画像データが予め設定された基準データ数を超えてたまってしまい、読影診断を優先して処理しなければならない場合に、その旨を認識することが可能となる。また、未読影の画像データが予め設定された基準データ数を超えなければ通知はされないので、他に優先すべき業務がある場合は、その業務を優先して行うことができ、医師が医用画像の読影診断及び他の業務を効率的に行うことが可能となる。基準データ数及び通知項目は、読影医毎に設定できるので、各読影医に適した通知を行うことが可能となる。
【００７７】
なお、上述した本実施の第１及び第２の形態における記述は、本発明に係る医用画像読影管理システム１００の一例であり、これに限定されるものではない。
【００７８】
例えば、上記第１及び第２の実施の形態においては、無線ＬＡＮを用いて管理サーバ２と携帯端末４とを接続する場合を例にとり説明したが、これに限定されず、例えば、公衆回線等を用いて接続するようにしてもよい。
【００７９】
また、上記第１、２の実施の形態においては、画像データを画像ＤＢ２ａの読影医別のデータ格納領域に記憶することとしたが、これに限定されず、例えば、画像データを受信順に画像ＤＢ２ａに順次格納していき、読影医別に未読影の画像データ数を求める際に、画像データの付帯情報に含まれる読影医ＩＤをキーとして読影医別の画像データの抽出を行い、未読影の画像データのカウントを行うようにしてもよい。
【００８０】
また、上記第１の実施の形態においては、未読影の画像データ数が予め設定された基準データ数を超えた場合に携帯端末４に通知を行うこととしたが、基準値設定ファイル２５２に、読影依頼からの経過時間の基準値、即ち、基準経過時間を設定しておき、図４に示す通知情報送信処理においては、読影医別に未読影の画像データを抽出し、抽出された画像データの中に、読影依頼を受けてからの経過時間、即ち、画像データを受信した受信日時からの経過時間が予め設定された基準経過時間を超えたものがある場合に、該当する読影医が所持する携帯端末４に通知項目として設定された情報を、読影を促す通知情報として送信するようにしてもよい。これにより、長時間未読影のまま放置された画像データがあれば読影医に直ちに通知するので、読影医は、優先して処理しなければならない読影診断があることを認識することが可能となる。基準経過時間を超えて放置された画像データがなければ通知はされないので、他に優先すべき業務がある場合は、その業務を優先して行うことができ、医師が医用画像の読影診断及び他の業務を効率的に行うことが可能となる。また、未読影の画像データ数が設定された基準データ数を超えた場合と、未読影の画像データの読影依頼を受け付けてからの経過時間が予め設定された基準経過時間を超えた場合の少なくとも一方に該当した場合には、携帯端末４に通知項目として設定された情報を送信するようにしてもよい。
【００８１】
同様に、上記第２の実施の形態における図５に示す読影依頼通知処理において、携帯端末４は、未読影の画像データの読影依頼を受けてからの経過時間を示す情報を管理サーバ２に問い合わせて取得し（経過時間情報取得手段）、読影依頼を受けてからの経過時間が設定された基準経過時間を超えた未読影の画像データがある場合に、管理サーバ２から通知項目として設定された情報を取得して、読影を促す通知情報として表示部４３に表示するようにしてもよい（通知手段）。また、未読影の画像データ数と未読影の画像データの読影依頼を受けてからの経過時間を示す情報の双方を管理サーバ２から取得し、未読影の画像データ数が設定された基準データ数を超えた場合と、読影依頼を受け付けてからの経過時間が予め設定された基準経過時間を超えた場合の少なくとも一方に該当した場合には、通知項目として設定された情報を管理サーバ２から取得して表示部４３に表示するようにしてもよい。
【００８２】
また、第２の実施の形態においては、管理サーバ２において、携帯端末４から未読影の画像データ数及び／又は未読影の画像データの読影依頼を受けてからの経過時間の問い合わせを受けた際に、管理サーバ２側においてこれらのデータ数や経過時間を抽出して結果を携帯端末４に返すこととしが、管理サーバ２側では、携帯端末４を所持する読影医に対する未読影画像データを抽出し、これに対応付けられている付帯情報及び受信日時を示す情報を携帯端末４に送信し、携帯端末４側で未読影の画像データ数や未読影の画像データの読影依頼を受けてからの経過時間を求めて、これらの情報を取得するようにしても良い。このようにすれば、ステップＴ３において、携帯端末４と管理サーバ２との通信を行う必要がなくなる。また、管理サーバ２から未読影の画像データを含む情報を送信してもよい。
【００８３】
その他、本実施の形態における医用画像読影管理システム１００の構成部分の細部構成、及び細部動作に関しても、本発明の趣旨を逸脱することのない範囲で適宜変更可能である。
【図面の簡単な説明】
【００８４】
【図１】本発明に係る医用画像読影管理システム１００の全体構成を示す図である。
【図２】図１の管理サーバ２の機能的構成を示すブロック図である。
【図３】図２のＣＰＵ２１により実行される読影依頼受付処理を示すフローチャートである。
【図４】図２のＣＰＵ２１により実行される通知情報送信処理を示すフローチャートである。
【図５】携帯端末４のＣＰＵ４１により実行される読影依頼通知処理を示すフローチャートである。
【符号の説明】
【００８５】
１００  医用画像読影管理システム
１  モダリティ
２  管理サーバ
２ａ  画像ＤＢ
３  読影端末
４  携帯端末
２１、４１  ＣＰＵ
２２、４２  操作部
２３、４３  表示部
２４、４４  ＲＡＭ
２５、４５  記憶部
２６  第１の通信制御部
２７  第２の通信制御部
２８、４７  バス
４６  通信制御部
【図１】
2006061387.tif 000003
【図２】
2006061387.tif 000004
【図３】
2006061387.tif 000005
【図４】
2006061387.tif 000006
【図５】
2006061387.tif 000007